(57)【要約】【課題】柱に傷をつけて美観を損なうことなく、現在又は将来の生活環境に適合し、子供や家族の成長記録を残すことができるシステムを提供する。また、従来のような身長測定を行うためだけのものではなく、体重及び、計測日の写真等を電子的に保存、及び管理することが可能なシステムを提案する。【解決手段】住宅の中の柱２、又は壁に設けた身長測定器３と、該身長測定器３の足元部分に設けた体重測定器４と、前記身長測定器３及び、体重測定器４を操作し、計測した計測データを記録する操作装置５から構成される家族成長記録システム１を構築した。【選択図】図１
2005168739.tif 000002
【特許請求の範囲】
【請求項１】
住宅の中の柱又は壁に設けた身長測定器と、
前記身長測定器を操作し、計測した計測データを記録する操作装置と、
から構成される家族成長記録システム。
【請求項２】
前記身長測定器は、柱又は壁に着脱自在に取り付けられる測定棒と、該測定棒の位置を検出する手段と、目盛りが設けられたスケールから構成されていることを特徴とする請求項１記載の家族成長記録システム。
【請求項３】
前記身長測定器の足元部分に体重測定器を設け、該体重測定器を床に埋め込んで、測定載置面を床面とほぼ同一面となるように配置し、床面に合わせた色調に配色したことを特徴とする請求項１記載の家族成長記録システム。
【請求項４】
前記操作装置は、画像を取り込む撮像手段と、前記各測定器の計測データや前記撮像手段の取り込み画像を表示する表示手段と、各測定器の計測データや前記取り込み画像を記憶する記憶手段と、日付やコメント等の各種入力を行う入力手段と、前記各手段を制御する制御手段とを具備していることを特徴とする請求項１記載の家族成長記録システム。
【請求項５】
前記操作装置は、測定したデータや演算したデータ等を取り出す出力手段を備えていることを特徴とする請求項１又は４記載の家族成長記録システム。
【請求項６】
前記操作装置は外部の端末装置と通信するための通信手段を備えていることを特徴とする請求項１、４、又は５記載の家族成長記録システム。
【発明の詳細な説明】
【技術分野】
【０００１】
本発明は、柱に傷をつけることなく、家族の成長や身体の変遷等を記録する家族成長記録システムに関する。
【背景技術】
【０００２】
以前は、柱に傷をつけて、子供の成長を記録する家庭も多かったが、近年では、生活環境の変化により、美観を損ねる等の理由で、柱に傷をつけたり、マーカー等で印を残したりする家庭が少なくなっている。
また、近年の住宅の洋風化にともない、真壁構造が減少し、ほとんどが大壁構造になってしまったため、傷をつけられるように表に露出した柱の出っ張りもなくなってしまっている。
【０００３】
そこで、従来では、家庭で簡単に身長測定が行えるとともに、メモや写真等を入れることができる透明な袋を設けて、柱に傷をつけることなく子供の成長記録を残せるようにした技術が公開されている。これによれば、室内の美観を損ねることなく、子供や家族にとって貴重な思い出を残すことができるようにしている。（例えば、特許文献１参照。）
また、家庭用の身長測定器において、測定用の竿が回転自在、且つ、分解が可能であり、収納が綺麗でインテリア用品として使用できる成長記録器が開示されている。（特許文献２参照。）この技術においても、上記同様に柱に傷をつけることなく、成長記録を行うことができる構成としている。
また、体重計に測定値や日付等の記録を記憶したり、出力したり、グラフで表示したりできるようにした技術や、身長と体重を略同時に測定して、測定結果を表示したり、記録したりできるようにした技術も公知となっている。
【０００４】
【特許文献１】登録実用新案第３０３７１８５号公報
【特許文献２】実開平６−６３０１１号公報
【発明の開示】
【発明が解決しようとする課題】
【０００５】
しかし、従来の技術によれば、柱に傷をつけることの代用として、メモや写真等を収納しておく袋を設けていたが、その袋やスケール等を柱に貼り付けたり、固定したりする必要があるため、柱部分から突出して、現在の家の実状からすると、美観を損なうものであり、家に溶け込むことができないものであった。また、体重計に記録装置等を備えた技術では、体重や体脂肪率等の変化がわかるだけであり、主に赤ちゃんの成長やダイエットの記録としては有効であるが、家族の成長の記録という点では、身長や顔や体形の変化等はわからず、期間も短いものであり、物足らないものであった。また、身長と体重を同時に測定できるものは、主に健康診断等に利用されるものであり、一般家庭に普及しておらず、一般の住宅に設置するには違和感があった。
そこで、本発明においては、柱に傷をつけて美観を損なうことなく、現在又は将来の生活環境に適合し、子供や家族の成長記録を残すことができるシステムを提供するものである。また、従来のような身長測定を行うためだけのものではなく、体重及び、計測日の写真等を電子的に保存、及び管理することが可能な家族成長記録システムを提案する。
【課題を解決するための手段】
【０００６】
本発明の解決しようとする課題は以上の如くであり、次にこの課題を解決するための手段を説明する。
【０００７】
即ち、請求項１においては、住宅の中の柱又は壁に設けた身長測定器と、前記身長測定器を操作し、計測した計測データを記録する操作装置と、から構成されるものである。
【０００８】
請求項２においては、前記身長測定器は、柱又は壁に着脱自在に取り付けられる測定棒と、該測定棒の位置を検出する手段と、目盛りが設けられたスケールから構成されているものである。
【０００９】
請求項３においては、前記身長測定器の足元部分に体重測定器を設け、該体重測定器を床に埋め込んで、測定載置面を床面とほぼ同一面となるように配置し、床面に合わせた色調に配色したものである。
【００１０】
請求項４においては、前記操作装置は、画像を取り込む撮像手段と、前記各測定器の計測データや前記撮像手段の取り込み画像を表示する表示手段と、各測定器の計測データや前記取り込み画像を記憶する記憶手段と、日付やコメント等の各種入力を行う入力手段と、前記各手段を制御する制御手段とを具備しているものである。
【００１１】
請求項５においては、前記操作装置は、測定したデータや演算したデータ等を取り出す出力手段を備えているものである。
【００１２】
請求項６においては、前記操作装置は外部の端末装置と通信するための通信手段を備えているものである。
【発明の効果】
【００１３】
本発明の効果として、以下に示すような効果を奏する。
【００１４】
請求項１においては、住宅の中において、昔、柱に傷をつけて子供の身長を残していた感覚で、柱に傷をつけることなく身長を測定して、子供の成長の思い出を残すことができ、家に愛着をもたせ、家庭に癒し効果をもたらすことができる。また、子供だけでなく、その他の家族の変化等も記憶でき、ダイエットや健康管理等にも使用することができる。
また、住宅の洋風化に適合し、大壁構造に適する柱の傷の代用として使用することができる。
【００１５】
請求項２においては、測定棒は、使用しない時には、収納又は取り外して、普段の生活の邪魔になることがなく、測定棒に当接するようなことがない。また、スケールにより大体の高さがわかる。
【００１６】
請求項３においては、身長の測定と同時に体重を計測することができるとともに、測定面と床面との間で段差がないため、過って足を引っ掛けることがない。また、測定面の色調を床の色調と合わせていることから外観を損なうこともない。
【００１７】
請求項４においては、身長及び体重を記録するとともに、測定時の本人だけでなく、家族写真を残しておくことで、家族の移り変わりを記録することができ、家族でいつでも思い出を懐かしむことができ、家庭に癒し効果をもたらすことができる。また、ダイエット中であれば体形の変化を容易に認識することができる。
【００１８】
請求項５においては、記録データの移行が可能となり、機器の老朽化や技術進歩に対応することができ、閲覧不能になることがない。
【００１９】
請求項６においては、パソコンや携帯電話等の外部端末装置と記録データの送受信が可能となり、パソコンでデータの加工も容易にできるようになる。また、端末装置により記録データの管理及び閲覧を行うことができる。また、通信回線を介してサーバに接続することで、サーバから様々なサービスを受けることが可能となる。
【発明を実施するための最良の形態】
【００２０】
次に、発明の実施の形態を説明する。
図１は本発明に係る家族成長記録システムの外観を示す斜視図、図２は操作装置の構成を示すブロック図、図３はカラーモニタの表示例を示す図である。
本実施の形態においては、柱が壁内に内装される大壁構造の住宅を想定しており、柱が壁面より突出しておらず、柱に傷を残すことができない場合においても、家族の成長を記録でき、住宅の洋風化に適合する家族成長記録システムを構築したものである。
【００２１】
図１に示す家族成長記録システム１は、住宅の中の家族が団欒できる居間や共用の部屋等に配置された柱２や壁に設けられた身長測定器３と、該身長測定器３の足元部に設けられた体重測定器４と、各測定器３・４の計測データを記録して保存したり、撮影したり、操作したりする操作装置５から構成されている。
このように、住宅の中の家族が団欒できる居間や共用の部屋等に家族成長記録システム１を配置することにより、手軽にくつろいだなかで、何時でも撮影したり、計測することが可能となる。
【００２２】
前記身長測定器３は、柱２の前面に沿って上下方向に形成された凹溝２ａと、該凹溝２ａに沿って滑動自在に取り付けられた測定棒３ａと、目盛りが付されたスケール３ｂから構成され、柱２内部には測定棒３ａの位置を検出する手段となる位置センサ（不図示）を備えている。但し、測定棒３ａの位置または身長を検出する手段は限定するものではなく、測定棒３ａをワイヤーで上下摺動可能として、該ワイヤーの移動距離を測定して検出したり、測定棒の上方に超音波センサ等の距離センサを配置して、測定棒の位置を検出することで身長を測定したりするように構成することもできる。
【００２３】
前記測定棒３ａは基部側（凹溝２ａに対する取り付け側）に板バネ等を備えており、凹溝２ａに対して摺動可能かつ停止位置でその位置を保持可能に支持されるとともに、凹溝２ａに対して着脱可能に取り付けられている。そして、身長測定器３を使用しない場合に測定棒３ａを取り外しておくことで、普段の生活の邪魔になることがなく、突出した測定棒３ａに当接したりすることも防止できる。
また、前記測定棒３ａは折畳式として凹溝２ａ内に収納できる構成としてもよく、この場合、測定棒３ａの収納を容易に行うことができ、測定棒をどこかにしまい込んでなくしてしまうことがない。また、ワイヤー等で昇降させる場合には上方に収納するように構成することもできる。
また、前記測定棒３ａのバリエーションを増やし、インテリア性を兼ね備えた測定棒３ａを取り付けることで、インテリアとして楽しめるようにしてもよい。
【００２４】
前記位置センサにて検知された情報は、柱２及び内壁７内に設けた配線にて後述する操作装置５内に送信され、該操作装置５に備える制御手段にて演算されて、身長の計測データとして記憶手段に記録される。
【００２５】
前記スケール３ｂは柱２の正面側に設けられており、目視でも身長を測定できるようにしている。また、前記スケール３ｂは、マーカー等での書き込みが可能な材質で構成するとともに、柱２に対して取外し可能に設けている。これによれば、従来、柱に傷を残していた感覚と同様に印を残すことが可能であり、尚且つ、着脱できるため各家族の生活環境に合わせることができ、美観を損なう懸念もない。
また、前記身長測定器３は使用しない時には、測定棒３ａを取り外す（もしくは、折り畳む）とともに、凹溝２ａをカバー等で覆って収納することが可能であり、外観では普通の柱に見せることが可能である。スケール３ｂも折り畳んだり、カバーをスライドさせて収納したりするようにして、外観を向上させる構成とすることもできる。
【００２６】
次に、前記体重測定器４は、柱２の根元部分、即ち、前記身長測定器３の足元部分に設けられており、身長測定と同時に体重測定を行うことができるようにしている。
前記体重測定器４は床に埋め込まれて、人が乗る測定載置面、つまりその上面は、床面６とほぼ同一面となるように配置されるとともに、床面６に合わせた色調または模様に構成されており、足を引っ掛けたり、美観を損なったりすることがないものである。
なお、前記体重測定器４は、使用しない時には、体重測定器４をフロア調のカバーで覆い、外見からは見えなくすることも可能である。
【００２７】
また、体重測定器４には図示しない重量センサ等を備えており、床下、柱２内部、内壁７内に配線を設けて、後述する操作装置５に検出データを送信できるようにしている。そして、該重量センサにて検出された情報は、配線を介して操作装置の制御手段にて演算され、体重の計測データとして記憶手段に記録されるようにしている。
【００２８】
次に、操作装置５について説明する。
操作装置５は、図１、図２に示すように、制御手段（ＣＰＵ）１５、記憶手段（メモリ）１１、撮像手段（カメラ）５ａ、表示手段（カラーモニタ）５ｂ、入力手段（操作パネル）５ｃ、出力手段５ｄ等から構成されている。
前記制御手段１５には身長測定器３及び体重測定器４と接続されて、各測定器３・４に備えられた位置センサや重量センサ等により検知した情報（計測データ）は、その検出値として個人別にそのままメモリ１１に記憶したり、前回との差や肥満度等を演算してメモリ１１に記録して保存する。
また、前記撮像手段５ａはＣＣＤカメラ等であり制御手段１５と接続して、該撮像手段５ａにより撮影した画像データを、制御手段１５に接続したカラーモニタ５ｂ等の表示手段で表示したり、メモリ１１に記憶して保存したりできるようにしている。
また、前記制御手段１５には操作パネル５ｃ等の入力手段が接続され、該操作パネル５ｃはタッチパネルや押しボタンスイッチ等で構成することができ、前記操作パネル５ｃをタッチパネル式とすることでカラーモニタ５ｂと一体的に形成することもできる。
【００２９】
前記操作パネル５ｃでは、身長測定器３、体重測定器４、カメラ５ａ、カラーモニタ５ｂ、出力手段５ｄの操作や、記録形式や表示形式や各装置の動作等の設定や、コメントや名前等の入力や、写真の加工等が可能である。
前記カラーモニタ５ｂは、操作パネル５ｃの操作により表示を切り替えて、カメラ５ａの撮影画像や各測定器３・４の計測記録や演算記録やコメントやカレンダーや時刻等の所望の情報を表示できるようにしている。
例えば、カラーモニタ５ｂにより、図３（ａ）に示すように、特定の人の計測日、身長、体重等の記録データを表形式で表示したり、図３（ｂ）に示すように、グラフ形式で表示したりできるようにしている。
【００３０】
前記カメラ５ａは操作パネル５ｃの操作によりシャッターを操作でき、タイマーを利用して撮影開始時刻も設定ができる。また、メモリ１１に記録する時に各測定器３・４の計測日を入力できるようにしている。なお、操作装置５にクロック機能を備え、前記操作パネル５ｃの入力によらず、各測定器３・４の計測とともに計測日や計測時間を同時に記録するようにしてもよい。但し、カメラは操作装置５と別構成とすることも可能である。
【００３１】
前記出力手段５ｄは、本実施例ではスロットとして、書込消去可能な記録媒体を挿し込めるようにしており、該記録媒体を出力手段５ｄに挿し込んで、操作パネル５ｃの操作でメモリ１１に記録された情報の取り出しを可能としている。但し、出力手段５ｄはスロットに限定するものではなく、通信装置として通信回線１０を利用してパソコンやインターネット等と接続可能に構成することもできる。また、プリンタとして記録したデータやデータを加工したグラフ等を印字して出力できるように構成することもできる。また、スピーカとして、操作や計測の手順の説明を音声で流したり、計測結果を音声で発するように構成することもできる。
【００３２】
次に、制御手段１５について説明する。
図２に示すように、前記操作装置５は制御手段としてＣＰＵ１５を具備しており、該ＣＰＵ１５は各測定器３・４のセンサにて検知された情報を処理して記憶手段としてのメモリ１１に保存する。前記メモリ１１に保存されている情報は、ＣＰＵ１５にて処理され表示手段としてのカラーモニタ５ｂに画像データとして出力される。
また、撮像手段としてのカメラ５ａ、入力手段としての操作パネル５ｃから入力された情報は、各々ＣＰＵ１５にて処理され、カラーモニタ５ｂに表示されたり、メモリ１１に記憶されたりする。
【００３３】
前記メモリ１１には、前記スロット５ｄに挿し込まれる記録媒体１２と接続される端子を備えており、メモリ１１に記憶された情報は記録媒体１２により取り出しが可能となっている。前記記録媒体１２は、例えばフラッシュメモリやデータの書込消去可能なＥＥＰＲＯＭ等から構成されており、操作装置自体（ハードウェア）が老朽化して新規の装置に変更する必要が生じた場合にも、保存されたデータを新規の装置で処理できるようにしている。
【００３４】
また、前記ＣＰＵ１５からは通信装置を介して通信回線１０により、パーソナルコンピュータ（パソコン）や携帯電話等の外部の端末装置と情報の送受信ができるようにしており、各測定器３・４の計測データや、カメラ５ａの撮影画像等を外部の端末装置にて管理及び閲覧を行うことが可能となっている。
このように構成することで、パソコンを操作して、得られたデータを加工して、アルバムの如く保存しておいたり、好みの時に呼び出して所望のデータを得たり、体形の変化を写真や数字で確認したり、ダイエットをしている場合には、体脂肪やカロリー計算等を合わせたダイエット計画を立てたりすることが容易にできるようになるのである。
【００３５】
なお、前記通信回線１０を使用して、サーバと接続できるようにして、サーバにて、前記操作装置５に記憶された情報を管理できるようにしてもよい。
この場合、サーバ側では各家庭向けの記録ボックス等を設け、オーナーはいつでも閲覧できるようにする。また、サーバ側で会員制の記録ボックスを設けて、会員内で記録データの相互交換等を行うようにすることもできる。
【００３６】
このようにサーバにて記録データを維持管理しておくことで、技術進歩によって操作装置が老朽化した場合においても、記録データが閲覧不能になることがない。また、サーバ側から各家庭側に定期的に記録データを送信することで、各家庭内で記録した情報が埋まってしまって忘れてしまうことも防止できるのである。また、記録データの相互交換により各家族同士の連係の推進に寄与することができる。
【００３７】
また、成長記録の表示手段として、操作パネルにて所定の日付が入力されると、柱２にレーザ光が照射されて、計測日の身長位置がレーザ光にて表示されるように構成することもできる。
例えば、柱２の上下方向に沿って移動可能な発光体を設け、操作パネル５ｃにて表示したい計測日の入力があると、ＣＰＵ１５にて入力された信号に基づいて発光体の移動距離を制御して、それと同時に発光体を発光させて柱２にレーザ光を照射するのである。
また、前述の操作装置５に発光体を設け、該発光体から照射されるレーザ光を偏向可能な構成として、ＣＰＵ１５の制御に基づいて、柱にレーザ光の線が映しだされるようにしてもよい。また、柱２の正面に発光装置を設けておき、ＣＰＵ１５の制御に基づいて発光装置を発光させて、柱２上に線上の光を形成する構成としてよい。
【００３８】
このような構成により、柱に傷をつける代用としてレーザ光で表示することで、より柱の傷に近い感覚を実現することができる。
そして、これにより、柱に傷をつけることなく、柱に傷を残して成長記録していた感覚と同様の感覚を味わうことができる。即ち、美観を損なうことなく、現在又は将来の生活環境に順応しながら、懐かしい感覚をよみがえらせることができる。そして、その結果、家庭に癒し効果をもたらすことができるのである。
【００３９】
以上に説明した家族成長記録システム１により、昔、柱に傷をつけて子供の成長記録を残していた感覚を電子的に行うことができ、思い出深く愛着のある家作りに寄与することができる。また、現在、又は将来の生活環境に適応し、美観を損なうことなく、子供の成長記録を保存しておくことができる。そして、このような家族成長記録システム１を提供することで家族に癒し効果をもたらし得る家を提供することができるのである。
【００４０】
なお、以上に説明した家族成長記録システム１は、家族が団欒でき落ち着ける居間等に設けられることが好ましく、このような場所に配置されることで、より癒し効果が高められるものである。
【図面の簡単な説明】
【００４１】
【図１】本発明に係る家族成長記録システムの外観を示す斜視図。
【図２】操作装置の構成を示すブロック図。
【図３】カラーモニタの表示例を示す図。
【符号の説明】
【００４２】
１    家族成長記録システム
２    柱
３    身長測定器
４    体重測定器
５    操作装置
５ａ  カメラ
５ｂ  カラーモニタ
５ｃ  操作パネル
５ｄ  スロット
１０  通信回線
１２  記録媒体
１５  ＣＰＵ
【図１】
2005168739.tif 000003
【図２】
2005168739.tif 000004
【図３】
2005168739.tif 000005